(57)【要約】【課題】熱交換器、送風ファン、ファンモータおよびドレンポンプユニットを取り外すことなくドレンパンを容易に取り外しできるようにした空気調和機を提供する。【解決手段】熱交換器４、送風ファン５、ファンモータおよびドレンポンプユニットが支持部材３によって支持される一方、前記熱交換器４の下部に対応するドレンパン８と、吹出口２に向かう空気流を偏向する左右風向板９および上下風向板１０とがベースａおよび前記支持部材３に設けられた係止部１２および固定部１３により、係脱可能に係止されたのち前記支持部材３に接離可能に固定されるようにした。【選択図】  図１
2004232882.tif 000002
【特許請求の範囲】
【請求項１】
前部および上部が開放されたベースと、同ベースに被着され、上下部に吸込口と吹出口とを備えた前面パネルと、これら吸込口と吹出口とを結ぶ空気通路に設けられ、前記ベースの両側上部に接合される一対の支持部材により支持された熱交換器および送風ファンと、同送風ファンの一側に連結され、前記ベースと前記一側の支持部材とで挟持されると共に、モータホルダにより保持されたファンモータと、前記ベースと、同ベースに付設され、前記熱交換器の下部に対応するドレンパンと、前記吹出口に向かう空気流を偏向する左右風向板および上下風向板と、同上下風向板を駆動する駆動装置とからなるベースユニットと、前記ドレンパンの側部に連続形成されたサブドレンパン上に架設されたドレンポンプユニットとで構成され、
前記ドレンポンプユニットが、前記他側の支持部材に取り付けられる一方、前記ベースユニットが、前記ベースおよび前記支持部材に設けられた係止部および固定部により、係脱可能に係止されたのち前記支持部材に接離可能に固定されるようにしてなることを特徴とする空気調和機。
【請求項２】
前記係止部が、前記支持部材および前記ベースの後部に設けられる一方、前記固定部が、前記支持部材および前記ベースの前部に設けられてなることを特徴とする請求項１に記載の空気調和機。
【請求項３】
前記固定部が、前記支持部材の前部に設けられたねじ孔と、同ねじ孔に対応して前記ベースの前部に設けられた挿通孔とからなり、同挿通孔を通したねじを前記ねじ孔に螺着して、前記ベースユニットが、前記支持部材に前面側から固定されるようにしてなることを特徴とする請求項１または請求項２に記載の空気調和機。
【請求項４】
前記モータホルダが、前記ファンモータの外周部を保持する保持片を備えて前記一側の支持部材に着脱可能に取り付けられ、前記ベースユニットを前記支持部材から離脱させた際、前記ファンモータが落下しないように保持する保持体からなることを特徴とする請求項１に記載の空気調和機。
【発明の詳細な説明】
【０００１】
【発明の属する技術分野】
本発明は、空気調和機に係わり、より詳細には、熱交換器、送風ファン、ファンモータおよびドレンポンプユニットを取り外すことなくドレンパンを容易に取り外しできるようにした構造に関する。
【０００２】
【従来の技術】
従来の空気調和機には、空気通路の両側壁に形成し、少なくとも一方がベースに着脱自在に取り付けられる一対の取付具に熱交換器を固定すると共に、送風ファンの一方の回転軸を同取付具に設けた軸受部に支承する一方、他方を前記側壁の外側において送風ファンを駆動するモータの回転軸と連結したことにより、熱交換器を外したり、動かしたりすることなく、送風ファンを取り外すことができ、メンテナンス性を向上させることができるようにしたものがあった（例えば、特許文献１参照。）。
【０００３】
しかしながら、上記構成でなる空気調和機においては、ベースに対し取付具を用いて熱交換器および送風ファンを取り付けるようにした構成となっていることから、例えば、上記取付具により熱交換器を吊下げ固定したままの状態で、ベースといっしょに熱交換器、送風ファン、ファンモータおよびドレンポンプユニットを取り外すことなく、ドレンパンを容易に取り外して洗浄することができるようにして、更にメンテナンス性を向上できるようにした空気調和機を提供することが望まれていた。
【０００４】
【特許文献１】
特開２００２−２１３７６３号公報（第１頁、第２図）
【０００５】
【発明が解決しようとする課題】
本発明においては、上記の問題点に鑑み、熱交換器、送風ファン、ファンモータおよびドレンポンプユニットを取り外すことなくドレンパンを容易に取り外しできるようにした空気調和機を提供することを目的とする。
【０００６】
【課題を解決するための手段】
本発明は、上記課題を解決するため、前部および上部が開放されたベースと、同ベースに被着され、上下部に吸込口と吹出口とを備えた前面パネルと、これら吸込口と吹出口とを結ぶ空気通路に設けられ、前記ベースの両側上部に接合される一対の支持部材により支持された熱交換器および送風ファンと、同送風ファンの一側に連結され、前記ベースと前記一側の支持部材とで挟持されると共に、モータホルダにより保持されたファンモータと、前記ベースと、同ベースに付設され、前記熱交換器の下部に対応するドレンパンと、前記吹出口に向かう空気流を偏向する左右風向板および上下風向板と、同上下風向板を駆動する駆動装置とからなるベースユニットと、前記ドレンパンの側部に連続形成されたサブドレンパン上に架設されたドレンポンプユニットとで構成され、
前記ドレンポンプユニットが、前記他側の支持部材に取り付けられる一方、前記ベースユニットが、前記ベースおよび前記支持部材に設けられた係止部および固定部により、係脱可能に係止されたのち前記支持部材に接離可能に固定されるようにしてなる構成となっている。
【０００７】
また、前記係止部が、前記支持部材および前記ベースの後部に設けられる一方、前記固定部が、前記支持部材および前記ベースの前部に設けられてなる構成となっている。
【０００８】
また、前記固定部が、前記支持部材の前部に設けられたねじ孔と、同ねじ孔に対応して前記ベースの前部に設けられた挿通孔とからなり、同挿通孔を通したねじを前記ねじ孔に螺着して、前記ベースユニットが、前記支持部材に前面側から固定されるようにしてなる構成となっている。
【０００９】
更に、前記モータホルダが、前記ファンモータの外周部を保持する保持片を備えて前記一側の支持部材に着脱可能に取り付けられ、前記ベースユニットを前記支持部材から離脱させた際、前記ファンモータが落下しないように保持する保持体からなる構成となっている。
【００１０】
【発明の実施の形態】
以下、本発明の実施の形態を図面に基づいた実施例として詳細に説明する。
図１は本発明による空気調和機の説明図で、（Ａ）は断面図、（Ｂ）は斜視図であり、図２は本発明による空気調和機の説明図で、（Ａ）はベースおよび前面パネルの斜視図、（Ｂ）は熱交換器および支持部材とこれに接合されるベースの斜視図であり、図３は本発明による空気調和機の要部説明図で、（Ａ）は分解斜視図、（Ｂ）は要部分解斜視図であり、図４は本発明による空気調和機の説明図で、（Ａ）は斜視図、（Ｂ）は（Ａ）で示すＤ部の斜視図であり、図５はドレンポンプユニットの取付状態を示す斜視図である。
【００１１】
本発明による空気調和機は、図で示すように、前部および上端部Ｃを開放したベースａに、吸込口１を備えた上面パネルｂおよび吹出口２を備えた下面パネルｄからなる前面パネルｅを被着して本体Ａが構成され、同本体Ａの背面側上部に設けられた係止部ｆを、被空調室の壁面に固着された据付板Ｂの係止爪ｇに係止して壁掛け設置されるようにした構成になっている。
【００１２】
前記ベースａは、その上端部Ｃを開放したことにより、合成樹脂によって金型成形される時に小型化をはかることができるようになり、使用される素材の量を減らして軽量化をはかると共に、成形用の金型を簡素化して効果的なコストダウンを実現できるようになっている。
【００１３】
なお、開放された前記ベースａの上端部Ｃは、前記本体Ａが壁掛け設置された際、前記据付板Ｂの一部によって覆われるようになっている。
【００１４】
前記上面パネルｂには、前記吸込口１を構成する吸込グリルｃが着脱可能に設けられている。
【００１５】
前記吸込口１と前記吹出口２とを結ぶ空気通路には、該空気通路を構成するベースａの両側上部に接合される一対の支持部材３によって支持され、前部熱交換器および後部熱交換器により逆Ｖ字状に形成された熱交換器４と、同熱交換器４により熱交換された空気を前記吹出口２に送出する送風ファン５とが夫々設けられ、同送風ファン５の側部にはファンモータ７が連結されている。
【００１６】
前記ベースａと、同ベースａに連続形成された前記熱交換器４の下部に対応するドレンパン８と、前記吹出口２に向かう空気流を偏向する左右風向板９および上下風向板１０と、同上下風向板１０を駆動する駆動モータ１１からなる駆動装置とでベースユニットが構成されており、このベースユニットが前記支持部材３の下部に接離可能に接合されるようになっている。
【００１７】
前記ドレンパン８は、逆Ｖ字状に形成された前記熱交換器４の下部に対応した前部ドレンパン８および後部ドレンパン８として前記ベースａに一体成形されており、また、前記前部ドレンパン８の側部には、前記前部ドレンパン８および前記後部ドレンパン８で受けたドレン水を集めるためのサブドレンパン８ａが連続形成されると共に、同サブドレンパン８ａの上部には揚水用のドレンポンプユニット８ｂが架設されている。
【００１８】
前記ドレンポンプユニット８ｂは、図４（Ｂ）と図５とで示すように、前記前部ドレンパン８上と前記サブドレンパン８ａ上とを仕切るように構成された前記支持部材３に取付具８ｂ１  によって取り付けられ、排水ホース８ｂ３  を備えたドレンポンプ８ｂ２  からなる構成となっている。
【００１９】
上記構成で、例えば海外の市場において、砂の堆積やカビの発生などがあるため定期的に前記ドレンパン８を取り外して洗浄したいような場合、前記支持部材３によって前記熱交換器４、前記送風ファン５、前記ファンモータ７および前記ドレンポンプユニット８ｂなどが支持されたままの状態で、前記前部ドレンパン８および前記後部ドレンパン８を容易に取り外しできるので、取り外しのための作業性を大幅に向上できるようにした空気調和機になる。
【００２０】
その際、前記前部ドレンパン８および前記後部ドレンパン８に一体成形された前記ベースａといっしょに、前記左右風向板９、前記上下風向板１０および前記駆動モータ１１も取り外しできるので、これらのメンテナンスを行なう上でも便利である。
【００２１】
以上の構成により、次にその動作について説明する。
前記ベースユニットは、図１（Ａ）で示すように、前記ベースａおよび前記支持部材３に設けられた係止部１２および固定部１３により、係脱可能に係止されたのち前記支持部材３に接離可能に固定される。
【００２２】
前記係止部１２は、前記支持部材３および前記ベースａの後部に設けられる一方、前記固定部１３は、前記支持部材３および前記ベースａの前部に設けられているので、前記ベースユニットを前記支持部材３の下部に接合する際、先ず、前記係止部１２を構成し前記支持部材３に形成された係止溝１２ａ  に、前記ベースａに形成された係止爪１２ｂ  を係脱可能に係止する。
【００２３】
次に、前記ベースユニットの前部を上方に押し上げることにより、前記支持部材３に形成されたねじ孔１４に、前記ベースａに形成された挿通孔１５を位置合わせさせると共に、同挿通孔１５を通したねじ２０を前記ねじ孔１４に螺着して、前記ベースユニットを前記支持部材３の下部に接合させた状態にして、同支持部材３の前面側からねじ締め固定できる。
【００２４】
なお、前記固定部１３は、同固定部１３をなす前記ベースａおよび前記支持部材３の前部を入れ替えることにより、前記ベースａの前部に設けられたねじ孔１４と、同ねじ孔１４に対応して前記支持部材３の前部に設けられた挿通孔１５からなる構成にして、前記ベースユニットを前記支持部材３に前面側から固定するようにしてもよい。
【００２５】
また、前記モータホルダ１７は、図３（Ａ）および図３（Ｂ）で示すように、前記ファンモータ７の外周部を保持する保持片１６を備えて前記一側の支持部材３に着脱可能に取り付けられ、前記ベースユニットを前記支持部材３から離脱させた際、前記ファンモータ７が落下しないように保持する保持体１７からなる構成となっており、前記支持部材３に設けられたねじ孔３ａに前記保持体１７に設けられた取付孔１７ａ  を通したねじを螺着して取り付けるようになっている。
【００２６】
前記一側の支持部材３には、前記保持片１７を受ける受け部１８を形成しているので、前記ねじ孔３ａからねじを取り外しても前記ファンモータ７がいきなり落下してしまうということがない。
【００２７】
また、前記一側の支持部材３と前記ファンモータ７との間、また、前記保持体１７と前記ファンモータ７との間に、例えば合成ゴムからなる防振用の弾性部材１９を介装することにより、例えば前記一側の支持部材３および前記ベースａと、前記ファンモータ７との間に弾性部材を介装する場合よりも容易に作業できることになる。
【００２８】
【発明の効果】
以上説明したように、本発明によれば、熱交換器、送風ファン、ファンモータおよびドレンポンプユニットを取り外すことなくドレンパンを容易に取り外しできるようにした空気調和機となる。
【図面の簡単な説明】
【図１】本発明による空気調和機の説明図で、（Ａ）は断面図であり、（Ｂ）は斜視図である。
【図２】本発明による空気調和機の説明図で、（Ａ）はベースおよび前面パネルの斜視図であり、（Ｂ）は熱交換器および支持部材とこれに接合されるベースの斜視図である。
【図３】本発明による空気調和機の要部説明図で、（Ａ）は分解斜視図であり、（Ｂ）は要部分解斜視図である。
【図４】本発明による空気調和機の説明図で、（Ａ）は斜視図であり、（Ｂ）は（Ａ）で示すＤ部の斜視図である。
【図５】ドレンポンプユニットの取付状態を示す斜視図である。
【符号の説明】
１  吸込口
２  吹出口
３  支持部材
３ａ  ねじ孔
４  熱交換器
５  送風ファン
６  モータホルダ
７  ファンモータ
８  ドレンパン（前部ドレンパン、後部ドレンパン）
８ａ  サブドレンパン
８ｂ  ドレンポンプユニット
８ｂ１  取付具
８ｂ２  ドレンポンプ
８ｂ３  排水ホース
９  左右風向板
１０  上下風向板
１１  駆動モータ（駆動装置）
１２  係止部
１２ａ  係止爪
１２ｂ  係止溝
１３  固定部
１４  ねじ孔
１５  挿通孔
１６  保持片
１７  保持体
１７ａ  取付孔
１８  受け部
１９  弾性部材
２０  ねじ
Ａ  本体
Ｂ  据付板
Ｃ  開放部
ａ  ベース
ｂ  上面パネル
ｃ  吸込グリル
ｄ  下部パネル
ｅ  前面パネル
ｆ  係止部
ｇ  係止爪
【図１】
2004232882.tif 000003
【図２】
2004232882.tif 000004
【図３】
2004232882.tif 000005
【図４】
2004232882.tif 000006
【図５】
2004232882.tif 000007